(57)【要約】【課題】鍋を炊飯器本体の鍋収納部に着脱自在に収納する炊飯器において、回転台で簡単に炊飯器本体の向きを変えるようにするとともに、ご飯をよそうときに炊飯器本体が回転するのを防止し、使い勝手を向上する。【解決手段】鍋２を炊飯器本体１の鍋収納部１ａに着脱自在に収納し、炊飯器本体１の向きを回転台１６により変えるよう構成する。回転台１６の回転中心１６ａを鍋収納部１ａの中心軸１ｃに対して偏心させる。【選択図】　図１
2004065359.tif 000002
【特許請求の範囲】
【請求項１】
鍋を着脱自在に収納する有底筒状の鍋収納部を有する炊飯器本体と、前記炊飯器本体の向きを変える回転台とを備え、前記回転台の回転中心を前記鍋収納部の中心軸に対して偏心させた炊飯器。
【請求項２】
鍋を着脱自在に収納する有底筒状の鍋収納部を有する炊飯器本体と、前記炊飯器本体の向きを変える回転台と、前記炊飯器本体の側壁に軸部を有し前記軸部を中心に回転するハンドルとを備え、前記回転台の回転中心と前記ハンドルの回転中心とをおよそ交差させた炊飯器。
【請求項３】
炊飯器本体の上面を開閉自在に覆う蓋体を備え、前記蓋体は鍋の内部と外部を連通した蒸気口を有し、前記蒸気口は回転台の回転中心と一致しないようにした請求項１または２記載の炊飯器。
【請求項４】
炊飯器本体の上面を開閉自在に覆う蓋体と、鍋を加熱する加熱手段と、前記加熱手段の動作を操作する操作部とを備え、前記操作部は前記蓋体の天面に配した請求項１または２記載の炊飯器。
【請求項５】
炊飯器本体の上面を開閉自在に覆う蓋体と、鍋を加熱する加熱手段と、前記加熱手段の状態を表示する表示部とを備え、前記表示部は前記蓋体の天面に配した請求項１または２記載の炊飯器。
【発明の詳細な説明】
【０００１】
【発明の属する技術分野】
本発明は、鍋を炊飯器本体の鍋収納部に着脱自在に収納する炊飯器に関するものである。
【０００２】
【従来の技術】
従来、この種の炊飯器は図１０に示すように構成していた。以下、その構成について説明する。
【０００３】
図１０に示すように、炊飯器本体５１は有底筒状の鍋収納部５１ａを有し、この鍋収納部５１ａに鍋５２を着脱自在に収納する。鍋収納部１ａの底部に加熱手段である底誘導コイル５３を設け、この底誘導コイル５３により鍋５２を誘導加熱し、炊飯・保温を行う。なお、底誘導コイル５３を用いた誘導加熱方式ではなく、鋳込みヒータで鍋５２を加熱する場合もある。
【０００４】
鍋センサ５４は鍋５２の温度を検知し、制御部５５へ信号を送る。制御部５５は鍋センサ５４の信号より底誘導コイル５３の加熱量を可変し、炊飯・保温時に鍋５２の温度を制御する。炊飯器本体５１の上部は炊飯器本体５１の後部のヒンジ部５６に設けたヒンジ軸５７に軸支した開閉自在な蓋体５８で覆っている。
【０００５】
蓋体５８は炊飯器本体５１のヒンジ部５６に設けたヒンジばね６２で常に開蓋付勢力が与えられており、炊飯器本体５１の前方に設けたフックレバー６０と蓋体５８の係合部５８ａとの係合を解除すると、蓋体５８はヒンジばねの付勢力で開く。操作部６３は、炊飯器本体５１の炊飯・保温の操作を行うスイッチを設けている。また、表示部６４は、炊飯・保温の状態を表示する。
【０００６】
【発明が解決しようとする課題】
しかしながら、このような従来の構成では、炊飯後あるいは保温中にご飯をよそうときに、蓋体５８の向きによっては蓋体５８が邪魔になり、炊飯器本体５１の側方や炊飯器本体５１の後方からだとご飯がよそいにくい。また、対面型のキッチンの家庭などでは、カウンター部に炊飯器本体５１を置いた場合、炊飯器本体５１に鍋５２をセットする側とご飯をよそう側が逆向きとなり、鍋５２のセットあるいはご飯をよそうときに蓋体５８が邪魔になり、作業しにくく、場合によっては炊飯器本体５１の向きをかえるために、都度炊飯器本体５１を移動させる手間が必要である。
【０００７】
そして、炊飯器本体５１をキッチンの収納台に収納して炊飯するような家庭では、天面の蒸気口の位置によっては収納台の天板に蒸気が当たり、結露したりする。
【０００８】
上記問題を解決する手段として、炊飯器本体５１に回転台を設ける案が提案されているが、ご飯をよそう時には炊飯器本体５１が回転しないように、たとえば、蓋体５８が開いている場合は回転のストッパーを設けるなどの工夫が必要であり、また、ストッパーの構成も複雑になってしまう問題があった。
【０００９】
本発明は上記従来の課題を解決するもので、回転台で簡単に炊飯器本体の向きを変えるようにするとともに、ご飯をよそうときに炊飯器本体が回転するのを防止し、使い勝手を向上することを目的としている。
【００１０】
【課題を解決するための手段】
本発明は上記目的を達成するために、鍋を炊飯器本体の鍋収納部に着脱自在に収納し、炊飯器本体の向きを回転台により変えるよう構成し、回転台の回転中心を鍋収納部の中心軸に対して偏心させたものである。
【００１１】
これにより、回転台で簡単に炊飯器本体の向きを変えるようにできるとともに、ご飯をよそうときに炊飯器本体が回転しないための回転ストッパーを用いることなく炊飯器本体が回転するのを防止でき、使い勝手を向上することができる。
【００１２】
【発明の実施の形態】
本発明の請求項１に記載の発明は、鍋を着脱自在に収納する有底筒状の鍋収納部を有する炊飯器本体と、前記炊飯器本体の向きを変える回転台とを備え、前記回転台の回転中心を前記鍋収納部の中心軸に対して偏心させたものであり、回転台で簡単に炊飯器本体の向きを変えるようにできるとともに、ご飯をよそうときに炊飯器本体が回転しないための回転ストッパーを用いることなく、簡易な構造で、ご飯をよそうときに炊飯器本体が回転するのを防止でき、使い勝手を向上することができる。
【００１３】
請求項２に記載の発明は、鍋を着脱自在に収納する有底筒状の鍋収納部を有する炊飯器本体と、前記炊飯器本体の向きを変える回転台と、前記炊飯器本体の側壁に軸部を有し前記軸部を中心に回転するハンドルとを備え、前記回転台の回転中心と前記ハンドルの回転中心とをおよそ交差させたものであり、炊飯器本体を回転させる場合、ハンドルを用いて、手軽に炊飯器本体の向きを変えることができる。
【００１４】
請求項３に記載の発明は、上記請求項１または２に記載の発明において、炊飯器本体の上面を開閉自在に覆う蓋体を備え、前記蓋体は鍋の内部と外部を連通した蒸気口を有し、前記蒸気口は回転台の回転中心と一致しないようにしたものであり、簡単に蒸気口の向きを変えることができ、キャビネットに炊飯器を収納した際のキャビネット天面の結露を防止することができる。
【００１５】
請求項４に記載の発明は、上記請求項１または２に記載の発明において、炊飯器本体の上面を開閉自在に覆う蓋体と、鍋を加熱する加熱手段と、前記加熱手段の動作を操作する操作部とを備え、前記操作部は前記蓋体の天面に配したものであり、炊飯器本体がどの向きに向いていても、操作することができる。
【００１６】
請求項５に記載の発明は、上記請求項１または２に記載の発明において、炊飯器本体の上面を開閉自在に覆う蓋体と、鍋を加熱する加熱手段と、前記加熱手段の状態を表示する表示部とを備え、前記表示部は前記蓋体の天面に配したものであり、炊飯器本体がどの向きに向いていても、動作状態を表示する表示部を目視することができる。
【００１７】
【実施例】
以下、本発明の実施例について、図面を参照しながら説明する。
【００１８】
（実施例１）
図１に示すように、炊飯器本体１は有底筒状の鍋収納部１ａを有し、この鍋収納部１ａに鍋２を着脱自在に収納する。鍋収納部１ａの底部に加熱手段である底誘導コイル３を設け、この底誘導コイル３により鍋２を誘導加熱し、炊飯・保温を行う。なお、底誘導コイル３を用いた誘導加熱方式ではなく、鋳込みヒータで鍋２を加熱する場合もあるが、誘導加熱方式の方がより高火力・高効率で鍋２を加熱することができる。
【００１９】
鍋センサ４は、鍋２の温度を検知し、制御部５へ信号を送る。制御部５は鍋センサ４の信号より底誘導コイル３の通電量を制御し、鍋２の加熱量を可変することで鍋２の温度を炊飯・保温時に適温に制御する。炊飯器本体１の上部は、炊飯器本体１の後部のヒンジ部６に設けたヒンジ軸７にて軸支した開閉自在な蓋体８で覆っている。
【００２０】
炊飯中や保温中にご飯から発生した蒸気は蓋体８の鍋２側に付着し、蓋体８を開いたときに露が炊飯器本体１の上縁部１ｂに滴下したり、保温中にご飯の上に落下して、ご飯を白化させたりする。そこで、蓋体８には鍋２の内部空間を加熱する加熱板９を設けており、加熱板９は蓋加熱手段である蓋誘導コイル１０により誘導加熱されて発熱し、炊飯・保温中の蓋体８への露つきを防止する。ここで、蓋誘導コイル１０の代わりに、電気抵抗で発熱する発熱線を加熱板９に貼り付ける方式もあるが、誘導加熱方式の方がより効率的に加熱板９を発熱させることができる。
【００２１】
加熱板９には加熱板蒸気口９ａを設けており、炊飯・保温中に発生する蒸気は、加熱板蒸気口９ａを通過し、蓋蒸気口８ａから外部へ流出する。蒸気口パッキン１１は、加熱板蒸気口９ａからの蒸気が蓋体８の内部に流入するのを防止している。また、鍋パッキン１２は、加熱板９と鍋２のフランジ部２ａの間から蒸気が外部へ漏れ出すのを防止している。
【００２２】
つぎに、蓋体８の先端には蓋係合部１３を設けており、炊飯器本体１の前方に設けたフックボタン１４と閉蓋時に係合し、炊飯または保温中に誤って蓋体８が開くのを防止する。蓋体８はヒンジばね１５によって、常に開蓋付勢力が与えられており、フックボタン１４を押すと、蓋係合部１３とフックボタン１４の係合が外れ、蓋体８は開蓋を開始し、ヒンジ軸７を中心に回動して開くよう構成している。
【００２３】
炊飯器本体１の底面１ｄに、炊飯器本体１の向きを変える回転台１６を設置している。回転台１６は、図２に示すように、リング状に形成し、炊飯器本体１の底面に設けたリング状の凹部１ｆに嵌合し、摺動することで炊飯器本体１が回転するよう構成している。
【００２４】
ここで、回転台１６の回転中心１６ａは、有底筒状の鍋収納部１ａの中心軸１ｃに対して偏心させている。すなわち、回転台１６の回転中心１６ａは鍋収納部１ａの中心軸１ｃに対して、炊飯器本体１の後方寄りに偏心している。
【００２５】
上記構成において作用を説明する。従来の回転台の回転中心は、鍋収納部１ａの中心軸に対しておよそ一致しており、ご飯をよそうとき、しゃもじを鍋の円周方向に動作させると、炊飯器本体を回転させる回転トルクが作用し、炊飯器本体が回転してしまう。
【００２６】
しかしながら、本実施例によれば、図３に示すように、ご飯をよそうとき、しゃもじを鍋２の円周方向に動作させても、しゃもじの力Ｆ１が作用する方向は、炊飯器本体１を回転させようとする力Ｆ２の方向とずれるので、炊飯器本体１は回転しない。また、回転台１６の回転中心１６ａと鍋収納部１ａの中心軸１ｃとの偏心量が大きければ大きいほどその効果は大きい。
【００２７】
このことは、ご飯をよそうときに、炊飯器本体１の回転を防止する回転ストッパー等を必要とせず、簡易な構成で、ご飯をよそうときに炊飯器本体１の回転を防止できる。そして、炊飯器本体１に回転台１６を設置可能にすることにより簡単に炊飯器本体１の向きを変えることができるようになり、どちらの方向からもご飯がよそいやすくなったり、鍋２が着脱しやすくなったりし、使い勝手を向上することができる。
【００２８】
（実施例２）
図４に示すように、ハンドル１７は、炊飯器本体１を持ち運ぶためのもので、このハンドル１７は炊飯器本体１の側壁１ｅに挿入した軸部１７ａで炊飯器本体１に支持され、軸部１７ａを中心に回転する。そして、通常は、２点鎖線で示すように、横に倒れた状態にあるが、炊飯器本体１を持ち運ぶときは、実線で示すように、倒立した状態で使用される。
【００２９】
このハンドル１７の回転中心１７ｃは、回転台１６の回転中心１６ａと交差もしくは近傍にくるように構成している。他の構成は上記実施例１と同じである。
【００３０】
上記構成において作用を説明する。炊飯器本体１の向きを変えるときに、炊飯器本体１のどこかを押したりもしくは引いたりするが、ハンドル１７があると、炊飯器本体１を持ち運ぶときのようにハンドル１７を掴むと炊飯器本体１の向きを変えやすい。加えて、本実施例のように、ハンドル１７の回転中心１７ｃと回転台１６の回転中心１６ａを交差もしくは近傍となるようハンドル１７を配置すると、ハンドル１７を倒立させたとき、ハンドル１７の握り部１７ｂは回転台１７の回転中心上にくるので、簡単に炊飯器本体１を回転させることができる。
【００３１】
（実施例３）
図５に示すように、蓋体８は、鍋の内部と外部を連通する蒸気口８ａを設けており、この蒸気口８ａは回転台１６の回転中心１６ａと一致しないように配置している。他の構成は上記実施例１と同じである。
【００３２】
上記構成において作用を説明する。炊飯中に鍋２より発生する蒸気は、蒸気口８ａを通過して、炊飯器本体１の外部に流出するが、収納キャビネットなどで炊飯したとき、キャビネット天面が蒸気で結露し、かびや腐食の原因となる。
【００３３】
ここで、本実施例の炊飯器では、炊飯器本体１を回転させることで、蒸気口８ａの位置を変えることができるので、キャビネット天面に蒸気があたらないような位置に蒸気口８ａの向きを変え、キャビネット天面の結露を防止することができる。
【００３４】
また、蒸気口８ａの位置が回転台１６の回転中心から遠く離れていればいるほど、蒸気口８ａの位置を大きく移動できることはいうまでもない。
【００３５】
（実施例４）
図６および図７に示すように、操作部１８は、炊飯器の動作を操作するもので、蓋体８の天面８ｄに配置している。他の構成は上記実施例１と同じである。
【００３６】
上記構成において作用を説明する。操作部１８よりの操作入力信号は制御部５へ伝わり、加熱手段である底誘導コイル３や蓋誘導コイル１０が通電され、炊飯、保温の動作を行う。
【００３７】
ここで、操作部１８を蓋体８の天面８ｄに配置することで、従来の炊飯器では、炊飯器の動作を操作する際に操作部を手前にくるよう炊飯器を回転させなければならなかったが、本実施例では、操作部１８は蓋天面８ｄにあるので、炊飯器本体１がどちらの向きに向いていようとも、操作部１８を操作することができ、使い勝手を向上することができる。
【００３８】
（実施例５）
図８および図９に示すように、表示部１９は、炊飯器の動作状態を表示するもので、蓋体８の天面８ｄに配置している。他の構成は上記実施例１と同じである。
【００３９】
上記構成において作用を説明する。表示部１９を蓋体８の天面８ｄに配置することで、従来の炊飯器では、炊飯器の動作状態を確認するには、表示部が目視できる位置まで炊飯器を回転させなければならなかったが、本実施例では、表示部１９は蓋体８の天面８ｄにあるので、炊飯器本体１がどちらの向きに向いていようとも、表示部１９を目視でき、使い勝手を向上することができる。
【００４０】
【発明の効果】
以上のように本発明の請求項１に記載の発明によれば、回転台の回転中心を鍋収納部の中心軸に対して偏心させているので、簡易な構造で、ご飯をよそうときに炊飯器本体が回転するのを防止でき、使い勝手を向上することができる。
【００４１】
また、請求項２に記載の発明によれば、回転台の回転中心と炊飯器本体の側壁に設けた軸部を中心に回転するハンドルの回転中心とをおよそ交差させているので、炊飯器本体を回転させる場合、ハンドルを用いて、手軽に炊飯器本体の向きを変えることができる。
【００４２】
また、請求項３に記載の発明によれば、蓋体に設けた蒸気口を回転台の回転中心と一致しないようにしているので、簡単に蒸気口の向きを変えることができ、キャビネットに炊飯器を収納した際のキャビネット天面の結露を防止することができる。
【００４３】
また、請求項４に記載の発明によれば、加熱手段の動作を操作する操作部を蓋体の天面に配しているので、炊飯器本体がどの向きに向いていても、操作することができる。
【００４４】
また、請求項５に記載の発明によれば、加熱手段の状態を表示する表示部を蓋体の天面に配しているので、炊飯器本体がどの向きに向いていても、動作状態を表示する表示部を目視することができる。
【図面の簡単な説明】
【図１】本発明の第１の実施例の炊飯器の断面図
【図２】同炊飯器の下面図
【図３】同炊飯器の開蓋状態の斜視図
【図４】本発明の第２の実施例の炊飯器の斜視図
【図５】本発明の第３の実施例の炊飯器の斜視図
【図６】本発明の第４の実施例の炊飯器の断面図
【図７】同炊飯器の斜視図
【図８】本発明の第５の実施例の炊飯器の断面図
【図９】同炊飯器の斜視図
【図１０】従来の炊飯器の断面図
【符号の説明】
１　炊飯器本体
１ａ　鍋収納部
１ｃ　中心軸
２　鍋
１６　回転台
１６ａ　回転中心
【図１】
2004065359.tif 000003
【図２】
2004065359.tif 000004
【図３】
2004065359.tif 000005
【図４】
2004065359.tif 000006
【図５】
2004065359.tif 000007
【図６】
2004065359.tif 000008
【図７】
2004065359.tif 000009
【図８】
2004065359.tif 000010
【図９】
2004065359.tif 000011
【図１０】
2004065359.tif 000012